(57)【要約】【課題】偽造・複製が困難であり、しかも容易に真偽判定できる偽造防止策を施した印刷物を提供する。【解決手段】所定のピッチと線幅を有し一方向に延びる画線を含む万線状凸部で構成される潜像部と、該潜像部の画線と略同一のピッチと線幅を有し該潜像部の画線に対して交差する方向に延びる画線を含む万線状凸部で構成される背景部とを有する偽造防止策を施した凹版印刷物において、前記画線の少なくとも一部がランタノイド系希土類化合物を含有する第１のインキで形成されていることを特徴とする偽造防止策を施した印刷物。【選択図】      図３
2008114380.tif 000002
【特許請求の範囲】
【請求項１】
所定のピッチと線幅を有し一方向に延びる画線を含む万線状凸部で構成される潜像部と、該潜像部の画線と略同一のピッチと線幅を有し該潜像部の画線に対して交差する方向に延びる画線を含む万線状凸部で構成される背景部とを有する偽造防止策を施した印刷物において、前記画線の少なくとも一部がランタノイド系希土類化合物を含有する第１のインキで形成されていることを特徴とする偽造防止策を施した印刷物。
【請求項２】
前記ランタノイド系希土類化合物は、ランタノイド系希土類元素の酸化物、炭化物、塩化物、フッ化物、硫化物および窒化物からなる群より選択されることを特徴とする請求項１に記載の偽造防止策を施した印刷物。
【請求項３】
前記ランタノイド系希土類化合物は、Ｈｏ2Ｏ3であることを特徴とする請求項２に記載の偽造防止策を施した印刷物。
【請求項４】
前記潜像部および背景部を構成する万線状凸部は、一部が前記第１のインキで形成され、他の一部が青・緑・赤の３波長に発光特性のある光源からの光を照射したときの前記第１のインキの色相に合った色相をもつ第２のインキで形成された画線を含み、前記第２のインキは太陽光下で所望のパターンをなすように形成されていることを特徴とする請求項１ないし３のいずれか１項に記載の偽造防止策を施した印刷物。
【請求項５】
請求項１ないし４のいずれか１項に記載の印刷物に青・緑・赤の３波長に発光特性のある光源からの光を照射したときに、前記印刷物に太陽光を照射したときと比べて前記第１のインキの色相が変化し、前記印刷物を斜め方向から見た場合に潜像部の視認が容易になることをもって真正と判定することを特徴とする印刷物の真偽判定方法。
【発明の詳細な説明】
【技術分野】
【０００１】
本発明は、偽造防止策を施した、株券、商品券などの有価証券および商品用の封印シールやタグ類などの印刷物、ならびにこのような印刷物の真偽判定方法に関する。
【背景技術】
【０００２】
従来、株券、商品券、クレジットカードなどの有価証券類のほか、商品用の封印シールやタグ類に至るまで、偽造・複製による不正使用を防止するために、精巧な印刷技術による印刷（凹版印刷を含む）などを施しているのが一般的である。しかし、近年の偽造・複製による不正使用の頻発に鑑み、これら精巧な印刷などに加え特殊な偽造防止策が施されるようになってきた。
【０００３】
前記の特殊な偽造防止策として、例えばホログラムを貼付ける方法、紫外線で発色する材料や画像を施して紫外線照射で真偽判定をする方法、金属箔層に万線方向が異なる万線状凹凸パターン群が複数集合したエンボスパターンを形成して見る角度を変化させると万線状凹凸パターン群の濃淡や輝きが変化する、所謂オパール効果を有する画像体を有価証券類などに貼付けたりする方法などがある。
【０００４】
また、精巧な印刷技術を利用した技術の一つとして、有価証券などに微細なピッチの万線状凸部でなる潜像パターンを印刷し、真上から見ると単なる細紋のように見えるが、有価証券を傾けたり視点を変えたりして観察すると潜像パターンが現れることを利用した偽造防止技術（凹版印刷物）がある（特許文献１参照）。
【０００５】
しかし、最近では、前記のホログラム技術や紫外線照射で真偽判定する技術は一般化されてきて、偽造・複製が比較的容易になってきた。また、前記のオパール効果を利用した技術も、比較的容易に万線形状を読み取ることができ、読み取り技術と機械があれば偽造・複製が容易になってきた。
【０００６】
さらに、前記の万線状凸部でなる潜像パターンを有する凹版印刷物は、斜視したときに潜像部にコントラストが必要なため、濃色のインキで印刷を行う必要があり、こうした濃色の凹版印刷物は、画線の深浅、幅、間隔で階調が表現される重厚さを有し、彫刻者の技術と設備が一般化されていないことから、凹版印刷による複製は困難である。しかし、潜像部のパターン自体が比較的単純な場合などには、カラーコピーなどによる数回のトナーの重ね合わせによって、手触り感を含めてある程度の再現（複写）が可能であるという問題点があった。
【０００７】
この場合、淡色の凹版印刷物にすると、カラーコピーでは４色掛け合わせで色を再現するため、トナーを盛ることができず、よって偽造（複写）防止効果は高くなる。しかし、前記のように潜像パターンを有する凹版印刷物とするには、潜像部のコントラストが不足し、潜像部のシャープ性のある顕像化効果が得られないという問題点があった。
【０００８】
そこで、凹版インキとして紫外線照射により可視光発光が起こる蛍光材料を用いて、潜像パターンを有する淡色の凹版印刷物を形成する技術が紹介されている。この場合、潜像パターンを有する凹版印刷物に紫外線を照射すると、画線部が発光し、コントラストの高い部分の文字などパターンが浮かび上がって見え、偽造防止技術として用いることができる（特許文献２参照）。
【０００９】
一方、異なる光源下で異なる色相を呈するインキがある。これは分光特性に特徴のある材料（一般にメタメリック材料といわれる）を用いてインキにしたものであり、たとえば太陽光下で見たときの色相と蛍光灯下で見たときの色相が異なることに基づいて、真偽判定が可能になると考えられている（特許文献３および４参照）。
【００１０】
しかし、上記材料は一般に色相が薄い場合が多く、多量の材料をインキ中に含有させるか印刷膜厚を厚くしないと色相の違いを見分けにくいため、オフセット印刷やグラビア印刷などの通常用いられる印刷方式では偽造防止印刷物としての真偽判定が困難になるという問題がある。
【特許文献１】特開２００２−１６６６８９号公報
【特許文献２】特開２００５−３３５１０７号公報
【特許文献３】特開平１０−２７８４６０号公報
【特許文献４】特開２０００−３２７９７８号公報
【発明の開示】
【発明が解決しようとする課題】
【００１１】
本発明は、偽造・複製が困難であり、しかも容易に真偽判定できる偽造防止策を施した印刷物を提供することを目的とする。
【課題を解決するための手段】
【００１２】
請求項１に記載の発明は、所定のピッチと線幅を有し一方向に延びる画線を含む万線状凸部で構成される潜像部と、該潜像部の画線と略同一のピッチと線幅を有し該潜像部の画線に対して交差する方向に延びる画線を含む万線状凸部で構成される背景部とを有する偽造防止策を施した印刷物において、前記画線の少なくとも一部がランタノイド系希土類化合物を含有する第１のインキで形成されていることを特徴とする偽造防止策を施した印刷物である。
【００１３】
請求項２に記載の発明は、前記ランタノイド系希土類化合物が、ランタノイド系希土類元素の酸化物、炭化物、塩化物、フッ化物、硫化物および窒化物からなる群より選択されることを特徴とする請求項１に記載の偽造防止策を施した印刷物である。
【００１４】
請求項３に記載の発明は、前記ランタノイド系希土類化合物が、Ｈｏ2Ｏ3であることを特徴とする請求項２に記載の偽造防止策を施した印刷物である。
【００１５】
請求項４に記載の発明は、前記潜像部および背景部を構成する万線状凸部が、一部が前記第１のインキで形成され、他の一部が青・緑・赤の３波長に発光特性のある光源からの光を照射したときの前記第１のインキの色相に合った色相をもつ第２のインキで形成された画線を含み、前記第２のインキは太陽光下で所望のパターンをなすように形成されていることを特徴とする請求項１ないし３のいずれか１項に記載の偽造防止策を施した印刷物である。
【００１６】
請求項５に記載の発明は、請求項１ないし４のいずれか１項に記載の印刷物に青・緑・赤の３波長に発光特性のある光源からの光を照射したときに、前記印刷物に太陽光を照射したときと比べて前記第１のインキの色相が変化し、前記印刷物を斜め方向から見た場合に潜像部の視認が容易になることをもって真正と判定することを特徴とする印刷物の真偽判定方法である。
【発明の効果】
【００１７】
本発明の偽造防止策を施した印刷物では、潜像部および背景部を構成する万線状凸部に含まれる画線の少なくとも一部がランタノイド系希土類化合物を含有する第１のインキで形成されている。この第１のインキの色相は、太陽光下では上質紙などの印刷基材とのコントラスト差が低い淡色であるが、青・緑・赤の３波長に発光特性のある光源からの光の照射下では印刷基材とのコントラスト差が比較的高い色相になる。したがって、この印刷物に太陽光を照射したときには、正面から見た場合でも斜め方向から見た場合でも、淡色の単なる細紋様が見えるだけである。一方、この印刷物に青・緑・赤の３波長に発光特性のある光源からの光を照射したときには、印刷物を正面から見た場合には細紋様に見えるが、斜め方向から見た場合には万線状凸部で構成される潜像部を視認できる。
【発明を実施するための最良の形態】
【００１８】
以下、図面を参照して本発明の実施の形態を詳細に説明する。
【００１９】
図１は本発明の偽造防止策を施した凹版印刷物の一実施形態を示す平面図である。図２（ａ）は図１の凹版印刷物を太陽光下で正面から見た場合を示す図、図２（ｂ）は図１の凹版印刷物を太陽光下で視点Ａ方向から斜めに見た場合を示す図である。図３（ａ）は図１の凹版印刷物を３波長形の蛍光灯下で正面から見た場合を示す図、図３（ｂ）は図１の凹版印刷物を３波長形の蛍光灯下で視点Ａ方向から斜めに見た場合を示す図である。図４は、本発明の偽造防止策を施した凹版印刷物の他の実施形態を示す平面図である。
【００２０】
本発明に係る印刷物はインキを凹版印刷、スクリーン印刷などによって作製することができるが、以下においては代表的に凹版印刷物について説明する。
【００２１】
図１に示す凹版印刷物１は、上質紙などの印刷基材１０上に、「凸」という文字の形状をなすように配置された水平方向に延びる画線１１を含む万線状凸部で構成された潜像部２１と、潜像部２１以外の領域に、画線１１に対して垂直方向に延びる画線１２を含む万線状凸部で構成された背景部２２とを有する。
【００２２】
潜像部２１を構成する万線状凸部の画線１１は、ピッチＰ１と線幅Ｗ１を有する。背景部２２を構成する万線状凸部の画線１２は、画線１１と略同一のピッチＰ２と幅Ｗ２を有する。画線１１、１２のピッチＰ１、Ｐ２は０．１〜１．０ｃｍ、線幅Ｗ１、Ｗ２は０．０２〜０．６ｍｍの範囲に設定される。より好ましくは、ピッチＰ１、Ｐ２は０．２５ｃｍ、線幅Ｗ１、Ｗ２は０．１ｍｍに設定される。画線１１、１２の高さ（盛り量）は、これらのピッチと線幅に応じて決定されるが、一般には１０〜１００μｍの範囲に設定される。
【００２３】
図１の凹版印刷物１は、潜像部２１および背景部２２の構成する万線状凸部の画線１１、１２が、ランタノイド系希土類酸化物を含有する凹版インキで印刷されている。本発明において用いられるランタノイド系希土類化合物としては、具体的には、Ｈｏ2Ｏ3、Ｎｄ2Ｏ3、ＮｄＣｌ3、ＮｄＦ3、Ｎｄ2Ｆ3、Ｐｒ2Ｏ3、ＰｒＣｌ3、ＰｒＦ3などが挙げられる。
【００２４】
以下、ランタノイド系希土類化合物としてＨｏ2Ｏ3を含有する凹版インキを用いた本発明の凹版印刷物１について説明する。この凹版印刷物１は、太陽光３１下で観察したときには画線１１、１２が淡黄色を呈し、３波長形の蛍光灯３２下で観察したときには画線１１、１２がピンク色を呈することを利用して偽造防止効果を得ている。その原理を説明すると、以下の通りである。
【００２５】
Ｈｏ2Ｏ3の吸収スペクトルには、波長４５０ｎｍ付近、５５０ｎｍ付近、および６５０ｎｍ付近にシャープな吸収ピークがあることが知られている。すなわち、Ｈｏ2Ｏ3は上記の波長域の光を吸収するが、それ以外の波長域の光をあまり吸収しない。
【００２６】
これに対し、太陽光は可視のほぼ全波長域にわたって高い発光エネルギーを示す。上記の吸収特性を有するＨｏ2Ｏ3は太陽光のかなりの部分を吸収するので、太陽光３１下では画線１１、１２が淡黄色を呈し、印刷基材１０とのコントラスト差が低い。このため太陽光３１下では、図２（ａ）のように凹版印刷物１を正面から見た場合でも、図２（ｂ）のように視点Ａ方向から斜めに見た場合でも、潜像部２１と背景部２２の区別がつきにくい。したがって、太陽光３１下では、潜像部２１の顕像化効果がなく、偽造防止策には気づかれない。
【００２７】
一方、青・緑・赤の３波長に発光特性のある光源、具体的には３波長形の蛍光灯からの光は、青（波長４５０ｎｍ）・緑（波長５４０ｎｍ）・赤（波長６１０ｎｍ）の３波長域において高い発光エネルギーを示す。上記の吸収特性を有するＨｏ2Ｏ3は、青（波長４５０ｎｍ）の発光と緑（波長５４０ｎｍ）の発光を吸収するが、赤（波長６１０ｎｍ）の発光を吸収せずに反射するので、蛍光灯３２下では画線１１、１２がピンク色を呈し、印刷基材１０とのコントラスト差が比較的高くなる。このため蛍光灯３２下では、図３（ａ）のように凹版印刷物１を正面から見た場合には潜像部２１’および背景部２２’が全体的にピンク色の細紋様に見えるが、図３（ｂ）のように凹版印刷物１を視点Ａ方向から斜めに見た場合には、潜像部２１’を容易に視認できる。したがって、印刷物に３波長形の蛍光灯からの光を照射し、斜め方向から見た場合に潜像部２１’の視認が容易になることをもって真正と判定することができるので、偽造防止効果がある。
【００２８】
図４は、本発明の偽造防止策を施した凹版印刷物の他の実施形態を示す平面図である。この凹版印刷物２の潜像部４１および背景部４２の画線の配置は、図１に示した凹版印刷物１と同様であるが、２種のインキを用いて形成された画線が含まれる点で、図に示した凹版印刷物１と異なる。すなわち、この凹版印刷物２では、潜像部４１および背景部４２を構成する万線状凸部は、一部がランタノイド系希土類化合物たとえばＨｏ2Ｏ3を含有する第１のインキで形成され、他の一部が青・緑・赤の３波長に発光特性のある光源からの光を照射したときの第１のインキの色相（この場合ピンク色）にマッチした色相をもつ第２のインキ（ランタノイド系希土類化合物を含有せず）で形成された画線を含む。潜像部４１および背景部４２には、必要に応じて、第１のインキのみで形成された画線および／または第２のインキのみで形成された画線が形成されている。第２のインキの領域は、太陽光下で淡黄色を呈する第１のインキが印刷された領域と区別される所望のパターン４３をなすように形成されている。図４では、パターン４３の例として潜像部４１および背景部４２の一部をカバーするハート形を示しているが、パターン４３の領域および形状は特に限定されない。
【００２９】
上記のように、一部が第１のインキ、他の一部が第２のインキで形成されている画線は、凹版印刷法のうちでもザンメル印刷法を用い、画線の一部と他の一部でインキを変えることによって、途中でとぎれることなく形成することができる。
【００３０】
この凹版印刷物２を３波長形の蛍光灯３２下で見た場合、潜像部４１および背景部４２においてパターン４３の色相とその周りの第１のインキで形成された画線部分の色相とがマッチして全体がピンク色になり、パターン４３の存在がわからなくなる。これは図３（ａ）の状態に相当する。このため、図３（ｂ）のように凹版印刷物２を視点Ａ方向から斜めに見た場合には、潜像部４１を容易に視認できる。したがって、印刷物に３波長形の蛍光灯からの光を照射すると、パターン４３が見えなくなり、さらに斜め方向から見た場合に潜像部４１の視認が容易になることをもって真正と判定することができるので、偽造防止効果がある。
【実施例】
【００３１】
以下、本発明を具体的な実施例を挙げて詳細に説明する。
【００３２】
［実施例１］
ランタノイド系希土類化合物を含有する第１の凹版インキ（酸化重合タイプ）として下記の組成を有するものを調製した。  
［第１の凹版インキの組成］
Ｈｏ2Ｏ3                                          ７０重量部
凹版インキメジウム（東洋インキ製造株式会社製）    ３０重量部。
【００３３】
印刷基材として白色系の上質紙を用意し、この印刷基材上に上記の凹版インキで凹版潜像が施された版を用いて凹版印刷を行い、図１に示すような凹版印刷物を得た。
【００３４】
この凹版印刷物を太陽光下で見た場合、潜像部および背景部が全体的に淡黄色の細紋様に見え、印刷物を傾けて見てもコントラストがつかないため、潜像部を視認しづらい。一方、この凹版印刷物を３波長形の蛍光灯下で見た場合、潜像部および背景部がピンク色に見え、斜め方向から見ると潜像部を視認できる。したがって、この印刷物は偽造防止策を施した凹版印刷物として使用することができる。
【００３５】
［実施例２］
実施例１で用いたランタノイド系希土類化合物を含有する第１の凹版インキに加えて、ランタノイド系希土類化合物を含有しない第２の凹版インキとして下記の色合わせ凹版インキを用意した。  
［第２の凹版インキの組成］
凹版インキ（特色ピンク）（東洋インキ製造株式会社製）  １００重量部。
【００３６】
印刷基材（白色系の上質紙）上に、ザンメル凹版印刷法により、１色目として第１の凹版インキを用い、２色目として第２の凹版インキを用い、各色のインキローラーを所定の模様に削り、凹版潜像が施された版を用いて凹版印刷を行い、図４に示すような凹版印刷物を得た。
【００３７】
この凹版印刷物を太陽光下で見た場合、潜像部および背景部にピンク色のパターンが見える。一方、この凹版印刷物を３波長形の蛍光灯下で見た場合、潜像部および背景部の全体がピンク色の細紋様に見えるため、太陽光下で見えていたパターンが見えなくなり、さらに斜め方向から見た場合に潜像部を視認できる。したがって、この印刷物は偽造防止策を二重に施した凹版印刷物であるといえる。
【図面の簡単な説明】
【００３８】
【図１】本発明の偽造防止策を施した凹版印刷物の一実施形態を示す平面図。
【図２】図１の凹版印刷物を太陽光下で正面から見た場合を示す図、および図１の凹版印刷物を太陽光下で視点Ａ方向から斜めに見た場合を示す図。
【図３】図１の凹版印刷物を３波長形の蛍光灯下で正面から見た場合を示す図、および図１の凹版印刷物を３波長形の蛍光灯下で視点Ａ方向から斜めに見た場合を示す図。
【図４】本発明の偽造防止策を施した凹版印刷物の他の実施形態を示す平面図。
【符号の説明】
【００３９】
１、２…凹版印刷物、１０…印刷基材、１１、１２…画線、２１、２１’…潜像部、２２、２２’…背景部、３１…太陽光、３２…蛍光灯、４１…潜像部、４２…背景部、４３…パターン。
【図１】
2008114380.tif 000003
【図２】
2008114380.tif 000004
【図３】
2008114380.tif 000005
【図４】
2008114380.tif 000006